【手続補正書】
【提出日】平成20年1月7日(2008.1.7)
【手続補正１】
【補正対象書類名】特許請求の範囲
【補正対象項目名】請求項１
【補正方法】変更
【補正の内容】
【請求項１】
デバイスおよび配信サーバに通信可能に結合されたクライアントにより実行される方法であって、
前記デバイスからのクエリであって、前記クライアントからのユーザインターフェース（ＵＩ）についてのものであるクエリを受信するステップと、
前記ＵＩを実行する前記デバイスのハードウェア機能およびソフトウェア機能のうちの少なくとも一方を検出するステップと、
前記デバイスのハードウェア機能およびソフトウェア機能のうちの前記少なくとも一方に基づいて前記クライアントの制御機能を開始する前記ＵＩを構成し、その結果前記デバイスは前記構成されたＵＩを実行することにより前記クライアントの制御機能を開始して前記クライアントによる前記制御機能の実行をもたらす要求を形成することが可能となるステップであって、前記要求は前記デバイスが前記制御機能を開始することを認めるかどうかを判断するためにクライアントの状態データを使用して前記配信サーバにより処理される、ＵＩを構成するステップと、
前記構成されたＵＩを前記デバイスに伝達して前記クライアントを制御するステップと
を備えることを特徴とする方法。
【手続補正２】
【補正対象書類名】特許請求の範囲
【補正対象項目名】請求項３
【補正方法】変更
【補正の内容】
【請求項３】
ワイドエリアネットワーク上で前記デバイスからの前記要求を前記配信サーバによって受信するステップをさらに備えることを特徴とする請求項１に記載の方法。
【手続補正３】
【補正対象書類名】特許請求の範囲
【補正対象項目名】請求項４
【補正方法】変更
【補正の内容】
【請求項４】
前記要求は、前記クライアントに前記要求を伝達することなく前記デバイスから前記配信サーバに伝達されることを特徴とする請求項３に記載の方法。
【手続補正４】
【補正対象書類名】特許請求の範囲
【補正対象項目名】請求項５
【補正方法】変更
【補正の内容】
【請求項５】
前記デバイスは、前記要求が前記デバイスから前記配信サーバによって受信されるようにワイドエリアネットワーク上で前記配信サーバに通信可能に結合され、
前記配信サーバが、前記制御機能のクライアント実行が許可されることを決定する場合、前記配信サーバは、前記クライアントに前記制御機能が実施することをもたらすコマンドを形成し、前記クライアントに伝達することを特徴とする請求項１に記載の方法。
【手続補正５】
【補正対象書類名】特許請求の範囲
【補正対象項目名】請求項７
【補正方法】変更
【補正の内容】
【請求項７】
前記構成は、
前記ＵＩに含めるための複数の機能のうちの１つまたは複数の選択と、
ユーザがナビゲーションするための前記機能の構成と、
表示のための前記機能の可視性と、
表示のための前記機能の解像度と、
表示のための前記機能のタイプフェースと、
表示のための前記機能のカラースキームと
からなる群から選択されることを特徴とする請求項１に記載の方法。
【手続補正６】
【補正対象書類名】特許請求の範囲
【補正対象項目名】請求項１１
【補正方法】変更
【補正の内容】
【請求項１１】
前記検出するステップおよび前記構成するステップは、前記クライアントおよび前記配信サーバのうちの少なくとも一方によって実施されることを特徴とする請求項１に記載の方法。
【手続補正７】
【補正対象書類名】特許請求の範囲
【補正対象項目名】請求項１５
【補正方法】変更
【補正の内容】
【請求項１５】
クライアント上で要求を受信してコンテンツとの対話のための制御機能を実施するステップであって、前記要求は、
ローカルエリアネットワーク上で前記クライアントに通信可能に結合されたローカルデバイスから受信され、
前記ローカルデバイスの検出された機能に基づいてクライアントにおいて構成されたユーザインターフェース（ＵＩ）によって形成され、前記クライアントにより前記ローカルデバイスに伝達され、前記クライアントを制御するために前記ローカルデバイス上で実行される、制御機能を実施するステップと、
ワイドエリアネットワーク上で前記クライアントが前記要求をヘッドエンドに転送するステップと、
前記ヘッドエンド上で前記要求を処理して前記クライアントによる前記制御機能の実施が許可されるかどうかを判定するステップであって、前記ヘッドエンドは、
複数の前記クライアントについてのクライアント状態データを含み、
前記要求は、前記転送するクライアントに対応する前記クライアント状態データを使用して処理されるステップと、
前記制御機能の実施が許可される場合に、前記ワイドエリアネットワーク上で伝達するために前記転送するクライアントが前記制御機能を実施することをもたらすコマンドを形成するステップと
を含むことを特徴とする方法。
【手続補正８】
【補正対象書類名】特許請求の範囲
【補正対象項目名】請求項２０
【補正方法】変更
【補正の内容】
【請求項２０】
ヘッドエンドにより実行される方法であって、
前記ヘッドエンド上で要求を受信するステップであって、前記要求は、
ワイドエリアネットワーク上で前記ヘッドエンドに通信可能に結合されたリモートデバイスから受信され、
コンテンツとの対話のために特定のクライアント上で制御機能を実行するためのものであり、
前記特定のクライアントにより構成されたユーザインターフェース（ＵＩ）によって形成され、前記特定のクライアントにより前記リモートデバイスに伝達され、前記特定のクライアントを制御するために前記リモートデバイス上で実行される、要求を受信するステップと、
前記ヘッドエンド上で前記要求を処理して前記特定のクライアントによる前記制御機能の実行が許可されるかどうかを判定するステップであって、前記ヘッドエンドは、
複数の前記クライアントについてのクライアント状態データを含み、
前記要求は、前記特定のクライアントに対応する前記クライアント状態データを使用して処理されるステップと、
前記制御機能の実行が許可される場合に、前記特定のクライアントに伝達するための前記制御機能を実施するためのコマンドを形成するステップと
を備えることを特徴とする方法。
【手続補正９】
【補正対象書類名】特許請求の範囲
【補正対象項目名】請求項２５
【補正方法】変更
【補正の内容】
【請求項２５】
プロセッサと、
コンテンツとの対話を制御するための複数の制御機能を実施するように前記プロセッサ上で実行可能なナビゲーションアプリケーション、
１つまたは複数の前記制御機能を開始するための、ヘッドエンドがクライアント状態データを利用して処理するための要求を形成するための構成可能なユーザインターフェース（ＵＩ）、および
前記構成可能なＵＩを実行するデバイスの機能を検出し、
前記検出に基づいて前記構成可能なＵＩを構成し、
前記構成されたＵＩを前記デバイスに伝達して、前記デバイスが前記ＵＩの実行を通じて前記クライアントを制御することを可能にする
ように前記プロセッサ上で実行可能なＵＩモジュール
を保持するように構成されるメモリと
を備えることを特徴とするクライアント。
【手続補正１０】
【補正対象書類名】特許請求の範囲
【補正対象項目名】請求項２８
【補正方法】変更
【補正の内容】
【請求項２８】
前記ＵＩモジュールは、
複数の機能のうちの１つまたは複数の選択と、
ユーザがナビゲーションするための前記機能の構成と、
表示のための前記機能の可視性と、
表示のための前記機能の解像度と、
表示のための前記機能のタイプフェースと、
表示のための前記機能のカラースキームと
からなる群から選択される方法で前記プロセッサ上で前記構成可能なＵＩを構成するように実行可能であることを特徴とする請求項２５に記載のクライアント。
【手続補正１１】
【補正対象書類名】特許請求の範囲
【補正対象項目名】請求項３２
【補正方法】変更
【補正の内容】
【請求項３２】
ネットワークと、
前記ネットワークに通信可能に結合されたクライアントであって、
コンテンツとの対話のために複数の制御機能を実施するように構成され、
各ユーザインターフェース（ＵＩ）が、前記ＵＩを実行するデバイスのハードウェア機能およびソフトウェア機能のうちの少なくとも一方に基づいて構成されるように複数の前記ＵＩを提供するためのＵＩモジュールを含むクライアントと、
ローカル接続上で前記クライアントに通信可能に結合され、前記クライアントを制御するために第１の前記制御機能を開始する第１の要求を形成するための、前記クライアントから受信した第１の前記ＵＩを含むローカルデバイスと、
前記ネットワークに通信可能に結合され、前記クライアントを制御するために第２の前記制御機能を開始する第２の要求を形成するための、前記クライアントから受信した第２の前記ＵＩを含むリモートデバイスと、
前記ネットワークに通信可能に結合され、
前記クライアントのクライアント状態データと、
前記クライアント状態データを利用して前記第１の要求および前記第２の要求を処理して前記第１の制御機能および前記第２の制御機能の実施が前記クライアント上で許可されるかどうかを判定し、許可される場合には、前記ネットワーク上で前記クライアントに伝達するために前記クライアントが前記第１の制御機能および前記第２の制御機能を実施することをもたらすコマンドを形成するためのリモーティングモジュールと
を含むヘッドエンドと
を備えることを特徴とするシステム。
【手続補正１２】
【補正対象書類名】特許請求の範囲
【補正対象項目名】請求項３６
【補正方法】変更
【補正の内容】
【請求項３６】
前記ＵＩモジュールは、
複数の機能のうちの１つまたは複数の選択と、
ユーザがナビゲーションするための前記機能の構成と、
表示のための前記機能の可視性と、
表示のための前記機能の解像度と、
表示のための前記機能のタイプフェースと、
表示のための前記機能のカラースキームと
からなる群から選択される方法で前記各ＵＩを構成することを特徴とする請求項３２に記載のシステム。